(57)【要約】【課題】高圧流体漏れの恐れがなく、検査結果の誤差が小さな流体収容タンク貫通孔取付用連接装置を提供する。【解決手段】本体１は、管体１１と、第一止め部１２とを含み、管体１１は、第一端部１１１と、第一端部１１１から遠ざかった第二端部１１２と、第一端部１１１と第二端部１１２との間にある管壁１１３とを有する。圧迫素子２は、中央に一つの貫通孔２１があり、貫通孔２１により穴壁２１１が形成されている。摺動具３は、管壁１１３に摺動可能に設けられ、上当接面と、下当接面とを有する。下当接面は圧迫素子２に接する。旋回具３１は、管壁１１３に設けた螺旋段１４に設けられ、旋回部４１と第二止め部４２とを有する。第二止め部４２が摺動具３の上当接面に接し、定位取っ手５は、第一結合部１６の形状に合うための不規則穴５１１が開設された第二結合部５１を有する。【選択図】図１
0003118036.tif 000002
【実用新案登録請求の範囲】
【請求項１】
本体と、圧迫素子と、摺動具と、旋回具と、定位取っ手とを備える流体収容タンク貫通孔取付用連接装置において、
前記本体は管体及び第一止め部を有し、前記管体は第一端部、前記第一端部から遠ざかった第二端部、及び第一端部と第二端部との間にある管壁を有し、前記管壁は第一端部と第二端部とを連通する貫通孔、貫通孔の内壁面及び外壁面を有し、前記第一端部には所定の規格に合う連接部が設けてあり、前記外壁面には第一端部に隣接した箇所に螺旋段が設けてあり、前記螺旋段と第二端部との間には摺動段が設けてあり、前記螺旋段と連接部との間には外周が非円形な第一結合部が設けてあり、前記第一結合部には縦方向に延設した第一切断面が少なくとも一つ設けてあり、第一止め部が第二端部と結合し、
前記圧迫素子は中央に一つの貫通孔が開設してあり、前記貫通孔により穴壁が形成され、前記貫通孔が管体に挿通されて前記穴壁が前記管壁にある外壁面と全面的に接触し、前記圧迫素子は第一止め部に当接し、
前記摺動具は、前記管壁の外壁面に摺動可能に設けられ、一つの上当接面及び一つの下当接面を有し、前記下当接面が前記圧迫素子に当接し、
前記旋回具は、前記管壁に設けた螺旋段に設けられ、旋回部及び第二止め部を有し、前記第二止め部が摺動具の上当接面に当接し、
前記定位取っ手は、第一結合部の形状に合う不規則穴が開設された第二結合部を有し、前記不規則穴には第一切断面に当接するための第二切断面が少なくとも設けてあり、前記不規則穴により、前記定位取っ手と第一結合部との相対的な旋回が規制されていることを特徴とする流体収容タンク貫通孔取付用連接装置。
【考案の詳細な説明】
【技術分野】
【０００１】
本考案は、流体収容タンク貫通孔取付用連接装置に係り、特に、圧迫素子を圧迫して外周面が拡径して流体の収容タンクにある貫通孔と結合する連接装置に関する。
【背景技術】
【０００２】
一般に、高圧流体が収容タンクに長期間に収容されると、内部の流体圧力により収容タンクは損壊し易い。車両用水槽を例にすれば、水槽の内部の水圧により、水を輸送する管路が破裂したり、水槽自体が破損したりしたことがよくあるので、水漏れがしばしば発生するが、水漏れの箇所を目で発見することは難しいため、エンジンが過熱にならないと、水漏れの箇所は発見できない。
【０００３】
図６に示すように、車両の水槽の貫通孔に取付けられた従来の連接装置は、段階状の結合台７を有し、前記結合台７は、車両の水槽の貫通孔に取付けられ、外径が下から上に拡径し、その頂端にプレート７１が設置してあり、その中心に中空ロッド８が挿通してあり、前記中空ロッド８はヘッド部８１と連接部８２とを有し、前記ヘッド部８１の上段に螺旋８１１が設けてあり、前記螺旋８１１にツマミ８３が螺着してあり、前記連接部８２に吸気ジョイント９が螺着してあり、前記吸気ジョイント９の横には握り可能な吸気管９１が連接してある。
【０００４】
水槽の日常検査を実施する場合には、使用者の両手が吸気管９１とツマミ８３とをそれぞれ握り、吸気管９１を時計方向に旋回させて連接部８２に螺着し、前記ツマミ８３を時計方向に旋回させることにより、螺旋８１１の案内によって中空ロッド８が軸方向に移動され、ヘッド部８１とプレート７１とが結合台７に軸方向の力を加えて、前記結合台７の外周が拡張して、連接装置を水槽の貫通孔９２に固定し、そうすると、水槽の破損状況を検査することができる。
【考案の開示】
【考案が解決しようとする課題】
【０００５】
しかしながら、これは次のような欠点があった。
（イ）従来のものを使用する際には、前記ツマミ８３を時計方向に旋回させる場合に、前記ツマミ８３と中空ロッド８の螺旋８１１との間の摩擦力が大きすぎて、前記ツマミ８３が吸気管９１を連動して吸気管９１が中空ロッド８に対して反時計方向に旋回され、だから、吸気ジョイント９と中空ロッド８の連接部とは確実に固定できなく、高圧流体漏れの恐れがあるので、検査結果の誤差は極めて大きかった。
（ロ）吸気ジョイント９と連接部８２とは螺着方式によって結合するので、使用者はそれらを一定方向に回転することが必要であるので、取付作業の時間がかなり掛かった。
【０００６】
そこで、本考案の目的は、高圧流体漏れの恐れがなく、検査結果の誤差が小さな流体収容タンク貫通孔取付用連接装置を提供することにある。
【課題を解決するための手段】
【０００７】
上記欠点を解決するためになされた本願の考案は、本体と、圧迫素子と、摺動具と、旋回具と、定位取っ手とを備える流体収容タンク貫通孔取付用連接装置において、
前記本体は管体及び第一止め部を有し、前記管体は第一端部、前記第一端部から遠ざかった第二端部、及び第一端部と第二端部との間にある管壁を有し、前記管壁は第一端部と第二端部とを連通する貫通孔、貫通孔の内壁面及び外壁面を有し、前記第一端部には所定の規格に合う連接部が設けてあり、前記外壁面には第一端部に隣接した箇所に螺旋段が設けてあり、前記螺旋段と第二端部との間には摺動段が設けてあり、前記螺旋段と連接部との間には外周が非円形な第一結合部が設けてあり、前記第一結合部には縦方向に延設した第一切断面が少なくとも一つ設けてあり、第一止め部が第二端部と結合し、
前記圧迫素子は中央に一つの貫通孔が開設してあり、前記貫通孔により穴壁が形成され、前記貫通孔が管体に挿通されて前記穴壁が前記管壁にある外壁面と全面的に接触し、前記圧迫素子は第一止め部に当接し、
前記摺動具は、前記管壁の外壁面に摺動可能に設けられ、一つの上当接面及び一つの下当接面を有し、前記下当接面が前記圧迫素子に当接し、
前記旋回具は、前記管壁に設けた螺旋段に設けられ、旋回部及び第二止め部を有し、前記第二止め部が摺動具の上当接面に当接し、
前記定位取っ手は、第一結合部の形状に合う不規則穴が開設された第二結合部を有し、前記不規則穴には第一切断面に当接するための第二切断面が少なくとも設けてあり、前記不規則穴により、前記定位取っ手と第一結合部との相対的な旋回が規制されていることを要旨としている。
【０００８】
（考案の効果）
本考案に係る流体収容タンク貫通孔取付用連接装置によれば、使用者は、一つの手で定位取っ手を握って、スパナで旋回具を旋回して旋回具を摺動具に圧迫し、なお、摺動具の下当接面が圧迫素子を圧迫し変形させ、変形された圧迫素子の外周面が拡張して流体収容タンクの貫通孔と結合する。
【考案を実施するための最良の形態】
【０００９】
以下、添付図面を参照して本考案の好適な実施の形態を詳細に説明する。
まず、図１乃至図３を参照する。図面に示すのは、本考案の実施形態の構造を説明するためのものであり、本考案の実用新案登録請求の範囲を限定するためのものではない。
本考案の実施形態に係る流体収容タンク貫通孔取付用連接装置は、本体１と、圧迫素子２と、摺動具３と、旋回具４と、定位取っ手５とから構成される。
【００１０】
前記本体１は、管体１１と、第一止め部１２とを含み、前記管体１１は、第一端部１１１と、前記第一端部１１１から遠ざかった第二端部１１２と、第一端部１１１と第二端部１１２との間にある管壁１１３とを有し、前記管壁１１３は、第一端部１１１と第二端部１１２とを連通する貫通孔１１４と、貫通孔１１４の内壁面１１５と、外壁面１１６とを有し、前記第一端部１１１には一般の規格に合う連接部１３（本実施例では快速ジョイント）が設けてあり、前記外壁面１１６には、第一端部１１１に隣接した箇所では螺旋段１４が設けてあり、前記螺旋段１４と第二端部１１２との間には摺動段１５が設けてあり、前記螺旋段１４と連接部１３との間には外周が非円形な第一結合部１６が設けてあり、前記第一結合部１６には縦方向に延設した第一切断面１６１が六つ設けてあり、第一止め部１２が第二端部１１２と結合する。
【００１１】
前記圧迫素子２は、撓み性を持つ素材（例えばゴム）で作製されたものであり、中央に一つの貫通孔２１が開設してあり、前記貫通孔２１により穴壁２１１が形成され、前記貫通孔２１が管体１１に挿通されて前記穴壁２１１が前記管壁１１３にある外壁面１１６と全面的に接触し、且つ前記圧迫素子２は第一止め部１２に当接する。
【００１２】
前記摺動具３は、前記管壁１１３の外壁面１１６に摺動可能に設けられ、一つの上当接面３１と、一つの下当接面３２とを有し、前記下当接面３２が前記圧迫素子２に当接する。
前記旋回具４は、前記管壁１１３に設けた螺旋段１４に設けられ、旋回部４１と第二止め部４２とを有し、前記第二止め部４２が摺動具３の上当接面３１に当接する。
前記定位取っ手５は、第一結合部１６の形状に合うための不規則穴５１１が開設された第二結合部５１を有し、前記不規則穴５１１には第一切断面１６１に当接するための第二切断面５１２（本実施例では、第二切断面が六つあり、六角穴を形成し）が設けてあり、前記不規則穴５１１により、前記定位取っ手５と第一結合部１６とは相対に旋回しない。
【００１３】
図４と図５を参照する。使用者が水槽を検査する場合には、圧迫素子２と、摺動具３と、旋回具４と、定位取っ手５とを本体１に順序に組み付けて、圧迫素子２を貫通孔６１に入れて、使用者の一つの手で定位取っ手５を握り、図４に示すように、他の手でスパナ６を握って旋回具４を旋回し、そうすると、旋回具４が下に移動して摺動具３が圧迫素子２を圧迫し、これにより、圧迫素子２の外周面２１２が拡張して貫通孔６１の穴壁６２と密着し結合する。
【００１４】
使用者がスパナ６で旋回具４を旋回するときに、定位取っ手５が使用者に握られるので、本体１が安定に保持され、だから、操作が便利になり、回転による調整作業も便利になる。
また、スパナ６と本体１との間には力のアームがあるので、本考案の実施例によれば、より小さい力で部品を旋回することができ、省力化を図ることができる。
一方、定位取っ手５にある不規則穴５１１と、本体１にある第一結合部１６との取付方式は嵌め込みによるので、従来のものと比較すれば、組付時間が短縮になる。
【図面の簡単な説明】
【００１５】
【図１】本考案の一実施形態による流体収容タンク貫通孔取付用連接装置を示す分解斜視図である。
【図２】本考案の一実施形態による流体収容タンク貫通孔取付用連接装置を示す外観図である。
【図３】本考案の一実施形態による流体収容タンク貫通孔取付用連接装置を示す概略図である。
【図４】本考案の一実施形態による流体収容タンク貫通孔取付用連接装置の実施状態を示す概略図である。
【図５】本考案の一実施形態による流体収容タンク貫通孔取付用連接装置の実施状態を示す概略図２である。
【図６】従来の水槽連接装置の構造を示す概略図である。
【符号の説明】
【００１６】
１  本体、１１  管体、１１１  第一端部、１１２  第二端部、１１３  管壁、１１４  貫通孔、１１５  内壁面、１１６  外壁面、１２  第一止め部、１３  連接部、１４  螺旋段、１５  摺動段、１６  第一結合部、１６１  第一切断面、２  圧迫素子、２１  貫通孔、２１１  穴壁、２１２  外周面、３  摺動具、３１  旋回具、４１  旋回部、４２  第二止め部、５  定位取っ手、５１  第二結合部、５１１  不規則穴、５１２  第二切断面、６  スパナ、６１  水槽穴、６２  穴壁
【図１】
0003118036.tif 000003
【図２】
0003118036.tif 000004
【図３】
0003118036.tif 000005
【図４】
0003118036.tif 000006
【図５】
0003118036.tif 000007
【図６】
0003118036.tif 000008